(57)【特許請求の範囲】
【請求項１】
押鍵操作される複数の鍵と、
該複数の鍵の各鍵による押鍵操作に連動して各々駆動される複数の質量体と、
質量体回動支点機構とから構成される鍵盤装置であって、
前記質量体回動支点機構を、前記複数の各質量体の回動支点部と常接して該各質量体を各回動支点部を中心に回動自在に支持する支持部と、前記各鍵に対応して前記支持部に固定的に突設され、前記複数の各質量体の回動支点部に設けた貫通孔を遊貫する複数の支点ピンとにより構成すると共に、
前記複数の各支点ピンの先端部に割り溝を設け、該割り溝に前記複数の鍵に共通の質量体共通抑え部材を圧入し、前記質量体の回動時における各回動支点部の前記支点ピンの突設方向への動きを前記質量体共通抑え部材によって規制するように構成したことを特徴とする鍵盤装置。
【発明の詳細な説明】
【０００１】
【発明の属する技術の分野】
本発明は、押鍵操作に連動して駆動される質量体を備えた鍵盤装置に関する。
【０００２】
【従来の技術】
従来、押鍵操作に連動して駆動され適当な押鍵感触を得るためのハンマ等の質量体を備えた鍵盤装置が知られている。この鍵盤装置では、質量体を円滑に回動させるために、例えば質量体に回動軸を設けると共に軸受け部材に凹部を設け、該凹部に質量体の回動軸を嵌合して平板等の抑え部材で抜けないように保持するような軸支構造を採用している。この場合、平板等の抑え部材は通常、各質量体毎に設けられ、ネジ等で個々に軸受け部材に螺合されて固定される。
【０００３】
【発明が解決しようとする課題】
しかしながら、上記従来の鍵盤装置では、質量体の回動軸に対応した凹部を軸受け部材の各々に設けるようにしていたため、構成が複雑で製造が容易でないという問題があった。
【０００４】
また、抑え部材を各質量体毎にネジで螺合固定するようにしていたため、部品点数が多く、組み付け工程が複雑であるという問題があった。抑え部材を複数の質量体について共通に構成する場合もあるが、その場合であっても、機能上、ネジ止めは複数箇所で個々に行うことが必要であり、組み付け作業を容易にするには限界があった。
【０００５】
本発明は上記従来技術の問題を解決するためになされたものであり、その目的は、簡単な構成で、容易な作業工程により、質量体の回動時における抜け止め機能を確実に果たすことができる鍵盤装置を提供することにある。
【０００６】
【課題を解決するための手段】
上記目的を達成するために本発明の請求項１の鍵盤装置は、押鍵操作される複数の鍵と、該複数の鍵の各鍵による押鍵操作に連動して各々駆動される複数の質量体と、質量体回動支点機構とから構成される鍵盤装置であって、前記質量体回動支点機構を、前記複数の各質量体の回動支点部と常接して該各質量体を各回動支点部を中心に回動自在に支持する支持部と、前記各鍵に対応して前記支持部に固定的に突設され、前記複数の各質量体の回動支点部に設けた貫通孔を遊貫する複数の支点ピンとにより構成すると共に、前記複数の各支点ピンの先端部に割り溝を設け、該割り溝に前記複数の鍵に共通の質量体共通抑え部材を圧入し、前記質量体の回動時における各回動支点部の前記支点ピンの突設方向への動きを前記質量体共通抑え部材によって規制するように構成したことを特徴とする。
【０００７】
この構成により、支持部と支点ピンとにより質量体回動支点機構が構成される。複数の各支点ピンを、複数の各鍵に対応して前記支持部に固定的に突設し、前記複数の各質量体の回動支点部に設けた貫通孔を遊貫させ、各支点ピンの先端部に割り溝を設け、該割り溝に前記複数の鍵に共通の質量体共通抑え部材を圧入する。複数の鍵の各鍵による押鍵操作に連動して複数の質量体が各々駆動されると、複数の各質量体の回動支点部が支持部に常接し、質量体が回動支点部を中心に回動する。質量体の回動時には、回動支点部の前記支点ピンの突設方向への力が生じるが、回動する質量体の回動支点部が質量体共通抑え部材に当接することによって、上記突設方向への動きが規制される。よって、簡単な構成で、容易な作業工程により、質量体の回動時における抜け止め機能を確実に果たすことができる。その詳細は後述する。
【０００８】
【発明の実施の形態】
以下、本発明の実施の形態を図面を参照して説明する。
【０００９】
図１は、本発明の一実施の形態に係る鍵盤装置の断面図である。同図（ａ）は非押鍵状態を示し、同図（ｂ）は押鍵状態を示す。同図では白鍵について図示するが、黒鍵についても同様に構成される。なお、本実施の形態において、演奏者側を前方と称する。
【００１０】
本装置は、電子鍵盤楽器として構成され、押鍵操作されるシーソー型の鍵１と、鍵１によって駆動され回動支点機構Ｍ（質量体回動支点機構）によって回動する質量体１０とを有する。
【００１１】
棚板２上に鍵支持部材３が設けられ、複数の鍵１は鍵支持部材３によって押離鍵方向に回動自在に支持される。ストッパ４は、鍵１と当接して鍵１の押鍵の終端位置（同図（ｂ））を規定する。鍵１の後部上面は、滑らかに加工されており、質量体１０を駆動する駆動部１ａとして機能する。鍵１を木製で構成した場合は、後部上面を滑面加工して駆動部１ａを形成してもよいし、あるいは、鍵１を断面一様な形状に形成し、その後部上面に樹脂製の滑り板を貼り付けて駆動部１ａを形成してもよい。
【００１２】
質量体１０は、回動支点機構Ｍの主に前方の部分に、押鍵時に適当な慣性力を得るための質量を有する。質量体１０の回動支点機構Ｍの前方には、発音位置調整用ネジ１３が設けられている。発音位置調整用ネジ１３の下端部は、鍵１の駆動部１ａと当接する被駆動部１３ａとして機能する。鍵１の押鍵操作により、駆動部１ａが被駆動部１３ａと当接して、質量体１０が回動する。発音位置調整用ネジ１３は、質量体１０の回動量と発音タイミングとの関係を調整するのに用いられる。
【００１３】
質量体１０の回動支点機構Ｍより後方の部分は、への字状に屈曲しており、下面に第１アクチュエータ１１及び第２アクチュエータ１２が突設されている。質量体１０の後半部下方には、第１スイッチ基板２１及び第２スイッチ基板２２が設けられている。第１スイッチ基板２１上には第１スイッチ部２５が、第２スイッチ基板２２上には第２スイッチ部２６が、各鍵１に対応してそれぞれ配置されている。第１、第２のスイッチ部２５、２６はいずれも、ラバーで構成された接点時間差タイプの２メイク式タッチレスポンススイッチである。押鍵行程において、第１アクチュエータ１１は先に第１スイッチ部２５に当接し、これに遅れて第２アクチュエータ１２が第２スイッチ部２６に当接するように設定されている。
【００１４】
本実施の形態では、所定のアルゴリズムによって第１スイッチ部２５をキーオン検出用に用い、第２スイッチ部２６をキーオフ検出用に用いて、検出信号を楽音指示に使用するようにしているが、いずれか一方、例えば第２スイッチ部２６のみでキーオン、キーオフの双方を検出するように構成してもよい。なお、スイッチ部をいずれか１つとしてもよい。
【００１５】
なお、上述したように、本実施の形態では回動支点機構Ｍにより近い第１スイッチ部２５から先に駆動され、回動支点機構Ｍからより遠い第２スイッチ部２６が後から駆動されるようにしたことで、安定した動作が確保される。すなわち、各アクチュエータ１１、１２が互いに離間している構成では、各スイッチ部２５、２６の駆動順序を逆に設定すると、作動上不安定になる場合があり好ましくないからである。
【００１６】
また、各アクチュエータ１１、１２間の距離を十分に確保した上で、回動支点機構Ｍにより近いスイッチ部から順に駆動されるようにしたので、発音タイミング等の精度が向上する。すなわち、例えばピアノにおけるハンマによる打弦タイミングに対応する位置に各スイッチ部２５、２６を配置する場合において、この配置が質量体１０側で多少ずれたとしても、その影響は鍵１に対応させたら僅かなものとなる。従って、各スイッチ部２５、２６自体の精度がそれほど高いものでなくても、これらを組み合わせた発音制御処理システムを構築すれば、発音位置の精度、ひいてはタッチレスポンスの精度を向上することができる。
【００１７】
第１スイッチ基板２１の後方にはストッパ２７が設けられる。ストッパ２７は、質量体１０の回動時に質量体１０の後端部と当接して緩衝機能を果たす。パネル部５は、鍵１の上方に配置され、各種操作子や表示部（図示せず）を備える。
【００１８】
図２は、回動支点機構Ｍの部分分解斜視図である。図３は、組み付け後における回動支点機構Ｍの部分拡大斜視図である。以下、これらの図も併せて参照して説明する。
【００１９】
質量体１０には、長手方向における略中央に貫通孔１０ａが設けられている。図２に示すように、貫通孔１０ａは、質量体１０の下部では略円状で、上方にいくにつれて鍵長手方向に広くなるように開口し、質量体１０の上部では長円状あるいは楕円状に形成される。貫通孔１０ａは、質量体１０の回動行程においてその内壁が後述する支点ピン２３と干渉せず、質量体１０の回動の妨げとならない程度の大きさ、形状に穿設される。質量体１０は、その下面における貫通孔１０ａの近傍が後述する支持部２０ａに常接して回動自在となり、貫通孔１０ａの近傍が実質的に回動支点部となっている。
【００２０】
図１に示すように、鍵１の後方における棚板２上には、支持部材２０が設けられている。支持部材２０の上部には、蒲鉾状の支持部２０ａが全鍵幅に亘って鍵並び方向に形成されている。支持部２０ａには、各鍵１に対応して複数の支点ピン２３が突設され、支点ピン２３は支持部材２０と固定関係になっている。各支点ピン２３の先端部には、鍵並び方向に沿う割り溝２３ａが設けられている（図２、図３）。その詳細は後述する。
【００２１】
支点ピン２３には２種類あり、後述する共通抑え部材２４（質量体共通抑え部材）の下端位置を規定するための支点ピンを特に設定用支点ピン２３Ａと記し、その割り溝を割り溝２３Ａａと記す。また、その他の支点ピンを支点ピン２３Ｂと記し、その割り溝を割り溝２３Ｂａと記す。
【００２２】
図３に示すように、支点ピン２３が貫通孔１０ａを遊貫するように質量体１０が支持部２０ａ上に配置されると、支点ピン２３は、貫通孔１０ａより少し上方に突き出た状態になる。質量体１０の上部であって、鍵並び方向における貫通孔１０ａの左右両側には、弧面１０ｂが形成されている。両弧面１０ｂは、質量体１０が支持部２０ａに常接して実質的回動中心（支点ピン２３の中心軸上であって支持部２０ａ上端よりやや下方）を中心に回動するとき、その最上端の高さが均一になるような曲率に設定されている。
【００２３】
図３に示すように、質量体１０が支持部２０ａ上に配置された後、共通抑え部材２４が組み付けられる。共通抑え部材２４は、全鍵幅に亘る長さに形成された板状部材である。前述した支点ピン２３の割り溝２３ａは、この共通抑え部材２４が圧入されるのに適した幅に設定されている。共通抑え部材２４は、１回の作業により、全ての支点ピン２３の割り溝２３ａに対して上方から同時に圧入嵌合される。これにより、容易な作業工程により、共通抑え部材２４が組み付けられ、しかも質量体１０の回動時における抜け止め機能を確実に果たす。
【００２４】
すなわち、各割り溝２３ａが受け持つ嵌合保持力は小さいものであるが、全鍵分の嵌合保持力は大きい。一方、押鍵は数鍵同時に行われることもあるが、全鍵が同時に押鍵されることは通常あり得ない。従って、数鍵の同時押鍵により数個の質量体１０に支点ピン２３から抜ける方向（突設方向）への力が加わっても、該方向へ質量体１０が動くことを共通抑え部材２４の嵌合保持力全体により十分に抑制することができる。
【００２５】
図４は、支点ピン２３の構成を示す部分断面図である。同図（ａ）は設定用支点ピン２３Ａを示し、同図（ｂ）はその他の支点ピン２３Ｂを示す。
【００２６】
設定用支点ピン２３Ａは、６鍵につき１個（１オクターブに２個）の割合で設けられる。同図（ａ）に示すように、設定用支点ピン２３Ａの割り溝２３Ａａは、その割り溝底面２３Ａｂの位置が、質量体１０の弧面１０ｂの最上端位置と同じか僅かに高い位置に設定されている。共通抑え部材２４は、その下端部２４ａ（図３）が割り溝底面２３Ａｂに当接する位置まで圧入される。
【００２７】
一方、同図（ｂ）に示すように、支点ピン２３Ｂの割り溝２３Ｂａは、その割り溝底面２３Ｂｂの位置が、質量体１０の弧面１０ｂの最上端位置より十分に低い位置に設定されている。
【００２８】
このような設定により、共通抑え部材２４を圧入したとき、その下端部２４ａ（図３）が設定用支点ピン２３Ａの割り溝底面２３Ａｂに当接して、共通抑え部材２４の位置が確実に規定され、抑えすぎが防止されると共に質量体１０のがたつき量が小さくなり、安定した嵌合保持力が保証される。
【００２９】
本実施の形態によれば、共通抑え部材２４を各支点ピン２３の割り溝２３ａに対して同時に圧入するだけで、質量体１０の回動時における抜け止め機能を得るので、構成が簡単であるだけでなく、個々にネジ止めする等の煩雑な作業を必要とすることなく、組み付け作業が容易である。また、共通抑え部材２４を全鍵に共通のものとして構成したことで、部品点数を削減し、構成を一層簡単にすることができる。さらに、数個の質量体１０の回動動作に対して全鍵に対応する割り溝２３ａの嵌合保持力全体で質量体１０の支点ピン２３からの抜け方向への動きを規制するので、組み付けが容易な割には抜け止め効果が大きい。よって、簡単な構成で、容易な作業工程により、質量体の回動時における抜け止め機能を確実に果たすことができる。
【００３０】
なお、本実施の形態では、共通抑え部材２４を全鍵共通に構成したが、複数鍵（例えば半オクターブまたは１オクターブ単位）毎に構成してもよい。
【００３１】
なお、本実施の形態では、設定用支点ピン２３Ａを６鍵につき１鍵設けるようにしたが、これに限るものでなく、１つの共通抑え部材２４に対して少なくとも２個、互いに離間した適所に設ければよい。
【００３２】
【発明の効果】
以上説明したように、本発明の請求項１に係る鍵盤装置によれば、簡単な構成で、容易な作業工程により、質量体の回動時における抜け止め機能を確実に果たすことができる。
【図面の簡単な説明】
【図１】  本発明の一実施の形態に係る鍵盤装置の断面図であり、同図（ａ）は非押鍵状態を示し、同図（ｂ）は押鍵状態を示す。
【図２】  回動支点機構Ｍの部分分解斜視図である。
【図３】  組み付け後における回動支点機構Ｍの部分拡大斜視図である。
【図４】  その他の支点ピン２３の構成を示す部分断面図である。
【符号の説明】
１  鍵、  １ａ  駆動部、  ３  鍵支持部材、  １０  質量体、  １０ａ  貫通孔、  １０ｂ  弧面、  １３ａ  被駆動部、  ２０  支持部材、  ２０ａ  支持部、  Ｍ  回動支点機構（質量体回動支点機構）、  ２３  支点ピン、  ２３ａ  割り溝  ２４  共通抑え部材（質量体共通抑え部材）
【図１】
0003724274.tif 000002
【図２】
0003724274.tif 000003
【図３】
0003724274.tif 000004
【図４】
0003724274.tif 000005